【手続補正書】
【提出日】平成26年6月18日(2014.6.18)
【手続補正１】
【補正対象書類名】特許請求の範囲
【補正対象項目名】請求項１
【補正方法】変更
【補正の内容】
【請求項１】
遊技者に有利となるストップスイッチの操作態様を報知する報知態様の遊技を実行するスロットマシンであって、
役の抽選を行う役抽選手段を備え、
前記役抽選手段は、前記ストップスイッチの操作態様に応じてメダルの払出し数が異なる図柄の組合せを停止可能な特定小役と、すべてのリールが停止したときにメダルの払出しを行わない特定の図柄の組合せを停止可能な特殊役とを含めて役の抽選を行い、
前記特殊役に当選したことに基づいて報知態様の遊技を実行し、
前記報知態様の遊技では、所定の終了条件を満たすまで、前記特定小役に当選した遊技で、遊技者に有利となる前記ストップスイッチの操作態様を報知する
ことを特徴とするスロットマシン。
【手続補正２】
【補正対象書類名】明細書
【補正対象項目名】０００１
【補正方法】変更
【補正の内容】
【０００１】
本発明は、遊技者に有利となるストップスイッチの操作態様を報知する報知態様の遊技を実行するスロットマシンに関するものである。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明が解決しようとする課題は、報知態様の遊技を実行するスロットマシンにおいて、報知態様の遊技に移行する契機に特徴を持たせることである。
【手続補正７】
【補正対象書類名】明細書
【補正対象項目名】０００９
【補正方法】変更
【補正の内容】
【０００９】
本発明は、以下の解決手段によって、上述の課題を解決する。
本発明は、
遊技者に有利となるストップスイッチの操作態様を報知する報知態様の遊技を実行するスロットマシンであって、
役の抽選を行う役抽選手段を備え、
前記役抽選手段は、前記ストップスイッチの操作態様に応じてメダルの払出し数が異なる図柄の組合せを停止可能な特定小役と、すべてのリールが停止したときにメダルの払出しを行わない特定の図柄の組合せを停止可能な特殊役とを含めて役の抽選を行い、
前記特殊役に当選したことに基づいて報知態様の遊技を実行し、
前記報知態様の遊技では、所定の終了条件を満たすまで、前記特定小役に当選した遊技で、遊技者に有利となる前記ストップスイッチの操作態様を報知する
ことを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４２
【補正方法】削除
【補正の内容】
【手続補正４１】
【補正対象書類名】明細書
【補正対象項目名】００４３
【補正方法】削除
【補正の内容】
【手続補正４２】
【補正対象書類名】明細書
【補正対象項目名】００４４
【補正方法】削除
【補正の内容】
【手続補正４３】
【補正対象書類名】明細書
【補正対象項目名】００４５
【補正方法】削除
【補正の内容】
【手続補正４４】
【補正対象書類名】明細書
【補正対象項目名】００４６
【補正方法】変更
【補正の内容】
【００４６】
本発明によれば、特殊役の当選に基づいて報知態様の遊技を実行するようにしたので、報知態様の遊技の実行契機に特徴を持たせることができる。
【手続補正４５】
【補正対象書類名】明細書
【補正対象項目名】００４７
【補正方法】削除
【補正の内容】
【手続補正４６】
【補正対象書類名】明細書
【補正対象項目名】００４８
【補正方法】削除
【補正の内容】
【手続補正４７】
【補正対象書類名】明細書
【補正対象項目名】００４９
【補正方法】削除
【補正の内容】
【手続補正４８】
【補正対象書類名】明細書
【補正対象項目名】００５０
【補正方法】削除
【補正の内容】
【手続補正４９】
【補正対象書類名】明細書
【補正対象項目名】００５１
【補正方法】削除
【補正の内容】
【手続補正５０】
【補正対象書類名】明細書
【補正対象項目名】００５２
【補正方法】削除
【補正の内容】
【手続補正５１】
【補正対象書類名】明細書
【補正対象項目名】００５３
【補正方法】削除
【補正の内容】
【手続補正５２】
【補正対象書類名】明細書
【補正対象項目名】００５４
【補正方法】削除
【補正の内容】
【手続補正５３】
【補正対象書類名】明細書
【補正対象項目名】００５５
【補正方法】削除
【補正の内容】
【手続補正５４】
【補正対象書類名】明細書
【補正対象項目名】００５６
【補正方法】削除
【補正の内容】
【手続補正５５】
【補正対象書類名】明細書
【補正対象項目名】００５７
【補正方法】削除
【補正の内容】
【手続補正５６】
【補正対象書類名】明細書
【補正対象項目名】００５８
【補正方法】削除
【補正の内容】
【手続補正５７】
【補正対象書類名】明細書
【補正対象項目名】００５９
【補正方法】削除
【補正の内容】
【手続補正５８】
【補正対象書類名】明細書
【補正対象項目名】００６０
【補正方法】削除
【補正の内容】
【手続補正５９】
【補正対象書類名】明細書
【補正対象項目名】００６１
【補正方法】削除
【補正の内容】
【手続補正６０】
【補正対象書類名】明細書
【補正対象項目名】０２２０
【補正方法】変更
【補正の内容】
【０２２０】
すなわち、第１実施形態及び第３実施形態のように、特定図柄判別手段６４により特定の図柄の組合せであると判別された回数に基づいて予め設定された報知態様の遊技の実行条件を満たすか否かを判別し、実行条件を満たすときは報知態様の遊技を実行するようにしたときは、報知態様の遊技の継続条件は、どのようなものであっても良い。
＜付記＞
本願の出願当初の請求項に係る発明（当初発明）が解決しようとする課題、当初発明に係る課題を解決するための手段及び当初発明の効果は、以下の通りである。
（ａ）当初発明が解決しようとする課題
前述の従来の技術では、報知態様の遊技を実行するか否かは、専ら抽選のみによって決定されていた。そして、報知態様の遊技を実行するときは、上述の演出出力装置によってその旨を遊技者に告知していた。
このため、遊技者は、報知態様の遊技を実行する旨の告知が行われることを期待するしかなかった。
また、報知態様の遊技は、予め設定されている所定遊技回数だけ行われるか、又は報知態様の遊技がさらに継続されるか否かが抽選によって決定される。そして、報知態様の遊技を継続するときは、その旨を遊技者に告知していた。
したがって、報知態様の遊技の継続においても、遊技者は、報知態様の遊技を継続する旨の告知が行われることを期待するしかなかった。
このため、１遊技での遊技途中や、複数遊技回数間での遊技中に、報知態様の遊技が実行されるか否かや、継続されるか否かの期待感を遊技者に持たせつつ遊技を進行していくことができなかった。
したがって、当初発明が解決しようとする課題は、報知態様の遊技を実行するスロットマシンにおいて、１遊技での遊技途中や、複数遊技回数間での遊技中に、報知態様の遊技が実行されるか否かや、継続されるか否かの期待感を遊技者に持たせつつ遊技を進行していくことができるようにすることである。
（ｂ）当初発明に係る課題を解決するための手段（なお、かっこ書きで、対応する実施形態を記載する。）
当初発明は、以下の解決手段によって、上述の当初課題を解決する。
第１の解決手段は、遊技者にとって有利となる内容を報知する報知態様の遊技を実行するスロットマシンであって、リールの停止時における図柄の組合せが特定の図柄の組合せであるか否かを判別する特定図柄判別手段と、遊技中、所定回数間の遊技中又は所定期間の遊技中において前記特定図柄判別手段により特定の図柄の組合せであると判別された回数に基づいて予め設定された報知態様の遊技の実行条件を満たすか否かを判別する実行条件判別手段と、前記実行条件判別手段により実行条件を満たすと判別されたときに、報知態様の遊技を実行する報知態様遊技実行手段とを備えることを特徴とする。
第１の解決手段においては、特定図柄判別手段は、リールの停止時における図柄の組合せが特定の図柄の組合せであるか否かを判別する。そして、実行条件判別手段は、遊技中、所定回数間の遊技中又は所定期間の遊技中において特定図柄判別手段により特定の図柄の組合せであると判別された回数に基づいて予め設定された報知態様の遊技の実行条件を満たすか否かを判別する。
報知態様の遊技の実行条件は、例えば、通常遊技中や特別遊技中等の任意の又は所定の条件下での遊技中、これらの所定回数間の遊技中や所定期間の遊技中において、特定図柄判別手段により特定の図柄の組合せであると判別された回数が１又は２以上の所定回数であるとき（複数遊技で連続して特定図柄判別手段により特定の図柄の組合せであると判別されたとき等）、のように予め設定されている。
そして、実行条件判別手段は、報知態様の遊技の実行条件を満たすか否かを判別する。
このように、任意又は一定条件の下での遊技中に出現する図柄の組合せやその回数等によって、報知態様の遊技が実行されるか否かが決定される。よって、遊技者は、１遊技での遊技途中や、複数遊技回数間での遊技中に、報知態様の遊技が実行されるか否かの期待感を持ちつつ遊技を進行していくことができる。
例えば、特定の図柄の組合せが所定回数連続して出現したときに報知態様の遊技が実行されるように設定されている場合において、特定の図柄の組合せが連続して出現し、あと１遊技で所定回数に到達することになったときは、遊技者は、期待を持って次遊技を開始することができる。
また、特定の図柄の組合せが１回でも出現すれば、報知態様の遊技が実行されるように設定されている場合において、１つのリールが回転中であり、残りの他のリールが停止したときに、回転中の最後のリールが特定位置に停止すれば特定の図柄の組合せとなる状態になったときは、遊技者は、期待を持って最後のリールを停止させることができる。
報知態様遊技実行手段は、実行条件判別手段により実行条件を満たすと判別されたときに、報知態様の遊技を実行する。報知態様の遊技では、遊技者にとって有利となる内容が報知される。したがって、遊技者は、報知された内容を見て、さらに報知された内容に従って操作を行うこと等で、メダル獲得枚数の増加等を期待することができる。
第２の解決手段は、第１の解決手段において、役の抽選を行う役抽選手段を備え、前記報知態様遊技実行手段は、前記役抽選手段で特定小役に当選したときに、その当選に関する内容を報知する遊技を実行することを特徴とする。
第２の解決手段においては、報知態様遊技実行手段により、特定小役の当選時に、その当選に関する内容を報知する報知態様の遊技が実行される。
したがって、報知態様の遊技では、遊技者は、当選した特定小役が入賞するように操作することが可能となるので、当選した特定小役の入賞率が高くなる。よって、遊技者は、特定小役の当選が報知されない遊技のときより、多くのメダルを獲得することができる。
第３の解決手段は、第１の解決手段において、役の抽選を行う役抽選手段と、各リールの回転を停止させるときに遊技者が操作するストップスイッチと、前記役抽選手段の抽選結果に基づいてリールを停止制御するとともに、前記役抽選手段で特定小役に当選した場合において、前記ストップスイッチが特定の操作順番で操作されたときはリールの停止可能位置の範囲内においてその特定小役の図柄の組合せを有効ラインに停止させ、前記ストップスイッチが特定の操作順番以外の操作順番で操作されたときはその特定小役の図柄の組合せを有効ラインに停止させない停止制御を行うリール停止制御手段とを備え、前記報知態様遊技実行手段は、前記役抽選手段で特定小役が当選したときに、前記リール停止制御手段によりその特定小役の図柄の組合せを有効ラインに停止させる停止制御が行われるための前記ストップスイッチの操作順番を遊技者が知り得るように、その特定小役の当選に関する内容を報知する遊技を実行することを特徴とする。
第３の解決手段においては、報知態様遊技実行手段により報知態様の遊技が実行されると、特定小役の当選時に、その特定小役の図柄の組合せを有効ラインに停止させる停止制御が行われるためのストップスイッチの操作順番を遊技者が知り得るように、その特定小役の当選に関する内容が報知される。
特定小役の当選時に、その報知された順番でストップスイッチが操作されたときは、リール停止制御手段により、リールの停止可能位置の範囲内においてその特定小役の図柄の組合せを有効ラインに停止させる停止制御が行われる。これに対し、その報知された順番以外の順番でストップスイッチが操作されたときは、リール停止制御手段により、その特定小役の図柄の組合せを有効ラインに停止させない停止制御が行われる。
したがって、報知態様の遊技では、報知された操作順番に従ってストップスイッチを操作すれば、当選した特定小役を入賞させることができる。これに対し、報知態様でない遊技（以下、非報知態様の遊技という。）では、特定小役が当選した場合であっても、その特定小役を入賞させる操作順番が報知されないので、特定小役が入賞するとは限らない。
これにより、報知態様の遊技では、遊技者は、当選した特定小役が入賞するように操作することが可能となるので、当選した特定小役の入賞率が高くなる。よって、遊技者は、非報知態様の遊技のときより、多くのメダルを獲得することができる。
第４の解決手段は、第１〜第３の解決手段において、前記特定図柄判別手段は、有効ラインに停止した図柄の組合せが特定役の図柄の組合せであるか否かを判別し、前記実行条件判別手段は、所定回数連続して、前記特定図柄判別手段により特定役の図柄の組合せであると判別されたときに、実行条件を満たすと判別することを特徴とする。
第４の解決手段においては、特定図柄判別手段により、有効ラインに停止した図柄の組合せが特定役の図柄の組合せであるか否かが判別される。そして、所定回数連続して、特定図柄判別手段により特定役の図柄の組合せであると判別されたときに、実行条件判別手段により実行条件を満たすと判別される。
したがって、複数遊技にまたがって、報知態様の遊技の実行条件を満たすか否かが判別される。よって、遊技者は、複数遊技間で、報知態様の遊技が実行される期待感を持つことができる。
第５の解決手段は、第４の解決手段において、役の抽選を行う役抽選手段と、前記役抽選手段における役の当選確率を定めたものであって、特別役に当選していない遊技で用いられる第１抽選テーブル、及び特別役に当選している遊技で用いられるとともに特定役の当選確率が前記第１抽選テーブルより高く設定された第２抽選テーブルとを有する抽選テーブルと、前記実行条件判別手段により実行条件を満たすと判別されたときに、前記報知態様遊技実行手段による報知態様の遊技を実行するか、又は前記役抽選手段で特別役に当選しているかを告知するように制御する告知制御手段とを備えることを特徴とする。
第５の解決手段においては、特別役に当選していない遊技では第１抽選テーブルによって役の抽選が行われる。また、特別役に当選している遊技では第２抽選テーブルによって役の抽選が行われる。第２抽選テーブルによって役の抽選が行われたときは、特定役の当選確率が高くなる。
したがって、所定回数連続して、特定役の図柄の組合せが出現したときは、報知態様の遊技が実行されるか、又は特別役に当選していることを意味することとなる。
そして、所定回数連続して特定役の図柄の組合せであると判別されたときは、実行条件判別手段により実行条件を満たすと判別される。この場合には、告知制御手段により、報知態様の遊技が実行されるのか、又は特別役に当選しているかが告知される。
したがって、特定役の図柄の組合せが連続して出現したときは、遊技者は、報知態様の遊技の実行、又は特別役の当選を期待することができる。さらに、特定役の図柄の組合せが所定回数連続して出現したときは、報知態様の遊技の実行、又は特別役の当選が確定し、遊技者は、告知制御手段により、いずれであるかを知ることができる。
第６の解決手段は、第１〜第５の解決手段において、前記特定図柄判別手段は、有効ラインに停止した図柄の組合せが特定役の図柄の組合せであるか否かを判別し、前記実行条件判別手段は、前記報知態様遊技実行手段による報知態様の遊技が終了した直後の所定回数の通常遊技において、前記特定図柄判別手段により特定役の図柄の組合せであると判別された回数が所定回数以上であるときに、実行条件を満たすと判別することを特徴とする。
第６の解決手段においては、特定図柄判別手段により、有効ラインに停止した図柄の組合せが特定役の図柄の組合せであるか否かが判別される。そして、報知態様の遊技が終了した直後の所定回数の通常遊技において、特定図柄判別手段により特定役の図柄の組合せであると判別された回数が所定回数以上であるときに、実行条件判別手段により実行条件を満たすと判別される。
したがって、遊技者は、報知態様の遊技が終了した場合であっても、その直後の所定回数の遊技において特定役の図柄の組合せが出現したときは、再度、報知態様の遊技が実行されることを期待することができる。
第７の解決手段は、第１〜第６の解決手段において、特別役の図柄の組合せが有効ラインに停止したことを条件として、遊技者にとって有利となる特別遊技を実行する特別遊技実行手段とを備え、前記実行条件判別手段は、前記特別遊技実行手段による特別遊技が終了した直後の所定回数の遊技において、前記特定図柄判別手段により特定役の図柄の組合せであると判別された回数が所定回数以上であるときに、実行条件を満たすと判別することを特徴とする。
第７の解決手段においては、特定図柄判別手段により、有効ラインに停止した図柄の組合せが特定役の図柄の組合せであるか否かが判別される。そして、特別遊技が終了した直後の所定回数の遊技において、特定図柄判別手段により特定役の図柄の組合せであると判別された回数が所定回数以上であるときに、実行条件判別手段により実行条件を満たすと判別される。
したがって、遊技者は、特別遊技が終了した直後の所定回数の遊技において特定役の図柄の組合せが出現したときは、報知態様の遊技が実行されることを期待することができる。
第８の解決手段は、第１〜第７の解決手段において、特別役の図柄の組合せが有効ラインに停止したことを条件として、遊技者にとって有利となる特別遊技を実行する特別遊技実行手段とを備え、前記実行条件判別手段は、前記特別遊技実行手段による特別遊技中に、前記特定図柄判別手段により特定の図柄の組合せであると判別された回数に基づいて予め設定された報知態様の遊技の実行条件を満たすか否かを判別することを特徴とする。
第８の解決手段においては、特別遊技実行手段により特別遊技が実行されているときに、特定図柄判別手段により特定の図柄の組合せであると判別された回数に基づいて予め設定された報知態様の遊技の実行条件を満たすか否かが判別される。
したがって、特別遊技中であっても、遊技者は、報知態様の遊技が行われるか否かの期待を持ちつつ遊技を行うことができる。そして、特別遊技中に報知態様の遊技が実行されたときは、特別遊技でさらに多くのメダルの獲得を期待することができる。
第９の解決手段は、第８の解決手段において、リールの停止時における図柄の組合せには、報知態様の遊技が実行されるための報知態様遊技実行の図柄の組合せが予め設けられており、前記実行条件判別手段は、前記特別遊技実行手段による特別遊技中に、前記特定図柄判別手段により報知態様遊技実行の図柄の組合せであると判別されたときに、実行条件を満たすと判別することを特徴とする。
第９の解決手段においては、特別遊技中に報知態様の遊技が実行されるための報知態様遊技実行の図柄の組合せが予め設けられている。そして、この図柄の組合せが出現したときは、報知態様の遊技の実行条件を満たすと判別される。
したがって、遊技者は、報知態様遊技実行の図柄の組合せが出現するか否かの期待を持ちつつ特別遊技を行うことができる。
第１０の解決手段は、第１〜第９の解決手段において、前記報知態様遊技実行手段による報知態様での遊技中、報知態様での所定回数間の遊技中又は報知態様での所定期間の遊技中において前記特定図柄判別手段により特定の図柄の組合せであると判別された回数に基づいて予め設定された報知態様の遊技の継続条件を満たすか否かを判別する継続条件判別手段と、前記継続条件判別手段により継続条件を満たすと判別されたときは、前記報知態様遊技実行手段による報知態様の遊技を継続し、継続条件を満たさないと判別されたときは、前記報知態様遊技実行手段による報知態様の遊技を終了する報知態様遊技継続手段とを備えることを特徴とする。
第１０の解決手段においては、報知態様の遊技の実行中に、特定図柄判別手段は、リールの停止時における図柄の組合せが特定の図柄の組合せであるか否かを判別する。そして、継続条件判別手段は、報知態様での遊技中、報知態様での所定回数間の遊技中又は報知態様での所定期間の遊技中において特定図柄判別手段により特定の図柄の組合せであると判別された回数に基づいて予め設定された報知態様の遊技の継続条件を満たすか否かを判別する。
報知態様の遊技の継続条件は、例えば、報知態様の任意の又は所定の条件下での遊技中、これらの所定回数間の遊技中や所定期間の遊技中において、特定図柄判別手段により特定の図柄の組合せであると判別された回数が１又は２以上の所定回数であるとき（複数遊技で連続して特定図柄判別手段により特定の図柄の組合せであると判別されたとき等）、のように予め設定されている。
そして、継続条件判別手段は、報知態様の遊技の継続条件を満たすか否かを判別する。また、報知態様遊技継続手段は、継続条件判別手段により継続条件を満たすと判別されたときは、報知態様の遊技を継続して実行する。これに対し、継続条件判別手段により継続条件を満たさないと判別されたときは、報知態様の遊技を終了する。
このように、任意又は一定条件の下での報知態様の遊技中に出現する図柄の組合せやその回数等によって、報知態様の遊技が継続されるか否かが決定される。よって、遊技者は、報知態様の遊技中のうち、１遊技での遊技途中や、複数遊技回数間での遊技中に、報知態様の遊技が継続されるか否かの期待感を持ちつつ報知態様の遊技を進行していくことができる。
例えば、特定の図柄の組合せが所定回数連続して出現したときに報知態様の遊技が継続されるように設定されている場合において、特定の図柄の組合せが連続して出現し、あと１遊技で所定回数に到達することになったときは、遊技者は、期待を持って次遊技を開始することができる。
また、特定の図柄の組合せが１回でも出現すれば、報知態様の遊技が継続されるように設定されている場合において、１つのリールが回転中であり、残りの他のリールが停止したときに、回転中の最後のリールが特定位置に停止すれば特定の図柄の組合せとなる状態になったときは、遊技者は、期待を持って最後のリールを停止させることができる。
第１１の解決手段は、第１０の解決手段において、前記特定図柄判別手段は、有効ラインに停止した図柄の組合せが特定役の図柄の組合せであるか否かを判別し、前記継続条件判別手段は、前記報知態様遊技実行手段による報知態様の遊技が終了する直前の所定回数の遊技において、前記特定図柄判別手段により特定役の図柄の組合せであると判別された回数が所定回数以上であるときに、継続条件を満たすと判別することを特徴とする。
第１１の解決手段においては、特定図柄判別手段により、有効ラインに停止した図柄の組合せが特定役の図柄の組合せであるか否かが判別される。そして、報知態様の遊技が終了する直前の所定回数の遊技において、特定図柄判別手段により特定役の図柄の組合せであると判別された回数が所定回数以上であるときに、継続条件判別手段により継続条件を満たすと判別される。
したがって、遊技者は、報知態様の遊技が終了する直前の所定回数の遊技において、特定役の図柄の組合せが出現し、報知態様の遊技が継続されることへの期待を持ちつつ遊技を行うことができる。
（ｃ）当初発明の効果
第１の解決手段によれば、遊技者は、１遊技での遊技途中や、複数遊技回数間での遊技中に、報知態様の遊技が実行されるか否かの期待感を持ちつつ遊技を進行していくことができる。
例えば、特定の図柄の組合せが所定回数連続して出現したときに報知態様の遊技が実行されるように設定されている場合において、特定の図柄の組合せが連続して出現し、あと１遊技で所定回数に到達することになったときは、遊技者は、期待を持って次遊技を開始することができる。
また、特定の図柄の組合せが１回でも出現すれば、報知態様の遊技が実行されるように設定されている場合において、１つのリールが回転中であり、残りの他のリールが停止したときに、回転中の最後のリールが特定位置に停止すれば特定図柄の組合せとなる状態になったときは、遊技者は、期待を持って最後のリールを停止させることができる。
さらにまた、遊技者は、報知態様の遊技中は、報知された内容を見て、さらに報知された内容に従って操作を行うこと等で、メダル獲得枚数の増加等を期待することができる。
第２の解決手段によれば、報知態様の遊技では、遊技者は、当選した特定小役が入賞するように操作することが可能となるので、当選した特定小役の入賞率が高くなる。よって、遊技者は、特定小役の当選が報知されない遊技のときより、多くのメダルを獲得することができる。
第３の解決手段によれば、報知態様の遊技では、報知された操作順番に従ってストップスイッチを操作すれば、当選した特定小役を入賞させることができる。
これにより、報知態様の遊技では、遊技者は、当選した特定小役が入賞するように操作することが可能となるので、当選した特定小役の入賞率が高くなる。よって、遊技者は、非報知態様の遊技のときより、多くのメダルを獲得することができる。
第４の解決手段によれば、複数遊技にまたがって、報知態様の遊技の実行条件を満たすか否かが判別される。よって、遊技者は、複数遊技間で、報知態様の遊技が実行される期待感を持つことができる。
第５の解決手段によれば、特定役の図柄の組合せが連続して出現したときは、遊技者は、報知態様の遊技の実行、又は特別役の当選を期待することができる。さらに、特定役の図柄の組合せが所定回数連続して出現したときは、報知態様の遊技の実行、又は特別役の当選が確定し、遊技者は、告知制御手段により、いずれであるかを知ることができる。
第６の解決手段によれば、遊技者は、報知態様の遊技が終了した場合であっても、その直後の所定回数の遊技において特定役の図柄の組合せが出現したときは、再度、報知態様の遊技が実行されることを期待することができる。
第７の解決手段によれば、遊技者は、特別遊技が終了した直後の所定回数の遊技において特定役の図柄の組合せが出現したときは、報知態様の遊技が実行されることを期待することができる。
第８の解決手段によれば、特別遊技中であっても、遊技者は、報知態様の遊技が行われるか否かの期待を持ちつつ遊技を行うことができる。そして、特別遊技中に報知態様の遊技が実行されたときは、特別遊技でさらに多くのメダルの獲得を期待することができる。
第９の解決手段によれば、遊技者は、報知態様遊技実行の図柄の組合せが出現するか否かの期待を持ちつつ特別遊技を行うことができる。
第１０の解決手段によれば、遊技者は、報知態様の遊技中のうち、１遊技での遊技途中や、複数遊技回数間での遊技中に、報知態様の遊技が継続されるか否かの期待感を持ちつつ報知態様の遊技を進行していくことができる。
例えば、特定の図柄の組合せが所定回数連続して出現したときに報知態様の遊技が継続されるように設定されている場合において、特定の図柄の組合せが連続して出現し、あと１遊技で所定回数に到達することになったときは、遊技者は、期待を持って次遊技を開始することができる。
また、特定の図柄の組合せが１回でも出現すれば、報知態様の遊技が継続されるように設定されている場合において、１つのリールが回転中であり、残りの他のリールが停止したときに、回転中の最後のリールが特定位置に停止すれば特定図柄の組合せとなる状態になったときは、遊技者は、期待を持って最後のリールを停止させることができる。
第１１の解決手段によれば、遊技者は、報知態様の遊技が終了する直前の所定回数の遊技において、特定役の図柄の組合せが出現し、報知態様の遊技が継続されることへの期待を持ちつつ遊技を行うことができる。